(57)【要約】【課題】ブレード型ヒューズに対する視認性の向上と、ワイヤハーネスの配索性の向上とを両立させることができるヒューズユニットを提供すること。【解決手段】バッテリ端子に接続される第一の端子金具１０を支持する樹脂製の第一ハウジング２０と、ワイヤハーネス３０が接続される第二の端子金具４０を支持すると共にヒューズ装着孔６１を有した第二ハウジング６０との間には、第一の端子金具１０に一体に形成されて板厚方向に折り曲げ可能な連絡板部１３が露出し、連絡板部１３の折り曲げによって第二ハウジング６０の向きが調節可能にされている。【選択図】図２
2014137894.tif 000002
【特許請求の範囲】
【請求項１】
金属板により一体形成され、バッテリ端子に接続されるバッテリ接続板部と、ブレード型ヒューズの一方のブレードが嵌合する第一のブレード挾持板部と、前記バッテリ接続板部と前記第一のブレード挾持板部との間を連絡すると共に板厚方向に折り曲げ可能な連絡板部と、を備えた第一の端子金具と、
前記第一の端子金具における前記連絡板部と前記第一のブレード挾持板部とは外部に露出するように前記バッテリ接続板部を収容支持した樹脂製の第一ハウジングと、
金属板により一体形成され、ワイヤハーネスが接続されるハーネス接続部と、該ハーネス接続部に連続し前記ブレード型ヒューズの他方のブレードが嵌合する第二のブレード挾持板部と、を備えた第二の端子金具と、
前記ブレード型ヒューズが装着されるヒューズ装着孔を有すると共に、該ヒューズ装着孔内に前記第一のブレード挾持板部と前記第二のブレード挾持板部とを支持し、前記第一のブレード挾持板部と前記第二のブレード挾持板部とを前記ブレード型ヒューズを介して接続させる樹脂製の第二ハウジングと、
を備え、
前記第一ハウジングに対する前記第二ハウジングの向きが前記第一ハウジングと前記第二ハウジングとの間に露出する前記連絡板部の折り曲げによって調節可能なことを特徴とするヒューズユニット。
【発明の詳細な説明】
【技術分野】
【０００１】
本発明は、車両に敷設されるワイヤハーネスを、ブレード型ヒューズを介して車載のバッテリに接続させるヒューズユニットに関する。
【背景技術】
【０００２】
上記ヒューズユニットとして、バッテリに接続されるバッテリ接続部と、ワイヤハーネスを接続するハーネス接続部と、ブレード型ヒューズを装着するヒューズ装着孔と、を一つの樹脂製ハウジング上に固定配置したものが各種提案されている（例えば、下記特許文献１参照）。
【先行技術文献】
【特許文献】
【０００３】
【特許文献１】特開２０１２−３９０４号公報
【発明の概要】
【発明が解決しようとする課題】
【０００４】
ところで、ブレード型ヒューズは、一対のブレードの基端部と、これらの基端部間を接続する可溶部とを樹脂ハウジングに収容した構造で、樹脂ハウジングの頂部に可溶部の状況を視認する透明窓部が配置される。しかし、樹脂製ハウジングの頂部には、定格の表示（印字）も行われているため、視認する角度によっては、可溶部が視認し難くなる場合がある。従来のヒューズユニットでは、可溶部が視認し難い場合には、ヒューズ装着孔の向き自体は調節することができないため、ブレード型ヒューズを取り外してチェックするしかなく、取り扱い性が悪いという問題があった。
【０００５】
一方、ブレード型ヒューズの可溶部が視認し易いように、ヒューズ装着孔の位置を優先して、樹脂製ハウジングにおける配置設計をすると、ハーネス接続部の配置が制約を受けて、ワイヤハーネスの配索性が低下するおそれがあった。
【０００６】
そこで、本発明の目的は、上記課題を解消することに係り、ブレード型ヒューズに対する視認性の向上と、ワイヤハーネスの配索性の向上とを両立させることができるヒューズユニットを提供することにある。
【課題を解決するための手段】
【０００７】
本発明の前述した目的は、下記の構成により達成される。
（１）  金属板により一体形成され、バッテリ端子に接続されるバッテリ接続板部と、ブレード型ヒューズの一方のブレードが嵌合する第一のブレード挾持板部と、前記バッテリ接続板部と前記第一のブレード挾持板部との間を連絡すると共に板厚方向に折り曲げ可能な連絡板部と、を備えた第一の端子金具と、
前記第一の端子金具における前記連絡板部と前記第一のブレード挾持板部とは外部に露出するように前記バッテリ接続板部を収容支持した樹脂製の第一ハウジングと、
金属板により一体形成され、ワイヤハーネスが接続されるハーネス接続部と、該ハーネス接続部に連続し前記ブレード型ヒューズの他方のブレードが嵌合する第二のブレード挾持板部と、を備えた第二の端子金具と、
前記ブレード型ヒューズが装着されるヒューズ装着孔を有すると共に、該ヒューズ装着孔内に前記第一のブレード挾持板部と前記第二のブレード挾持板部とを支持し、前記第一のブレード挾持板部と前記第二のブレード挾持板部とを前記ブレード型ヒューズを介して接続させる樹脂製の第二ハウジングと、
を備え、
前記第一ハウジングに対する前記第二ハウジングの向きが前記第一ハウジングと前記第二ハウジングとの間に露出する前記連絡板部の折り曲げによって調節可能なことを特徴とするヒューズユニット。
【０００８】
上記（１）の構成によれば、当該ヒューズユニットは、バッテリ接続板部を車載のバッテリのバッテリ端子に固定した後、第二ハウジングに支持されている第二の端子金具のハーネス接続部にワイヤハーネスを接続することで、ワイヤハーネスを、ブレード型ヒューズを介してバッテリに接続した状態を得る。
【０００９】
そして、第二の端子金具のハーネス接続部にワイヤハーネスを接続する際には、連絡板部を適宜に曲げることで、第二ハウジングに支えられているハーネス接続部の向きを、ワイヤハーネスを接続し易い向きに調節することができる。従って、ワイヤハーネスの配索性を向上させることができる。
【００１０】
なお、第二の端子金具のハーネス接続部にワイヤハーネスを接続する際には、ワイヤハーネスの接続後に、連絡板部の曲げ状態を調整できるようにワイヤハーネスに余長を付与しておくとよい。
【００１１】
また、バッテリに固定された当該ヒューズユニット上のブレード型ヒューズにおいて、可溶部が視認し難い場合には、ワイヤハーネスの余長を利用して、連絡板部の曲げ状態を調整することで、可溶部が視認し易い角度に、第二ハウジングに装備されているヒューズ装着孔の向きを変えることができる。従って、ブレード型ヒューズに対する視認性を向上させることもできる。
【００１２】
即ち、上記（１）の構成によれば、ブレード型ヒューズに対する視認性の向上と、ワイヤハーネスの配索性の向上とを両立させることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【発明の効果】
【００１４】
本発明によるヒューズユニットによれば、ブレード型ヒューズに対する視認性の向上と、ワイヤハーネスの配索性の向上とを両立させることができる。
【図面の簡単な説明】
【００１５】
【図１】図１は本発明に係るヒューズユニットの一実施形態の斜視図である。
【図２】図２は図１に示した状態から連絡板部を直角に折り曲げて、ヒューズ装着孔の向きを９０゜方向転換させた状態の斜視図である。
【発明を実施するための形態】
【００１６】
以下、本発明に係るヒューズユニットの好適な実施形態について、図面を参照して詳細に説明する。
【００１７】
図１は本発明に係るヒューズユニットの一実施形態の斜視図、図２は図１に示した状態から連絡板部を直角に折り曲げて、ヒューズ装着孔の向きを９０゜方向転換させた状態の斜視図である。
【００１８】
この一実施形態のヒューズユニット１は、車載のバッテリのバッテリ端子（不図示）に直付けされる直付け型ヒューズユニットで、バッテリ端子に接続される第一の端子金具１０と、この第一の端子金具１０の一部を収容支持する樹脂製の第一ハウジング２０と、車両に敷設されるワイヤハーネス３０が接続される第二の端子金具４０と、第一の端子金具１０の一部と第二の端子金具４０とを支持すると共にブレード型ヒューズ５０が装着される樹脂製の第二ハウジング６０と、を備えている。
【００１９】
第一の端子金具１０は、金属板により一体形成された端子金具で、不図示のバッテリ端子に接続されるバッテリ接続板部１１と、ブレード型ヒューズ５０の一方のブレードが嵌合する第一のブレード挾持板部と、前記バッテリ接続板部１１と前記第一のブレード挾持板部との間を連絡する連絡板部１３と、を備えている。
【００２０】
バッテリ接続板部１１には、バッテリ端子にねじ止めするための取付孔１１ａが貫通形成されている。また、バッテリ接続板部１１には、端子接続用のボルト７１，７２が植設される回路接続板部１５，１６が一体形成されている。
【００２１】
端子接続用のボルト７１，７２には、例えばオルタネータなどの車載の電装品への給電ケーブルが、該ケーブル端に圧着されている丸形端子を介して、ねじ止めされる。
【００２２】
連絡板部１３は、帯板状で、折り曲げしない状態では、バッテリ接続板部１１から図１に矢印Ｘ１で示す方向に延出している。この連絡板部１３は、作業者が素手で折り曲げできる程度の強度となるように、板厚が設定されており、板厚方向（図１の矢印Ｙ１方向）に折り曲げ可能である。また、この連絡板部１３の先端部には、不図示の第一のブレード挾持板部が一体形成されている。
【００２３】
第一ハウジング２０は、第一の端子金具１０における連絡板部１３と前記第一のブレード挾持板部とは外部に露出するように、バッテリ接続板部１１と回路接続板部１５，１６とを収容支持している。
【００２４】
第二の端子金具４０は、金属板により一体形成されている。この第二の端子金具４０は、図示していないが、ワイヤハーネス３０が接続されるハーネス接続部と、該ハーネス接続部に連続しブレード型ヒューズ５０の他方のブレードが嵌合する第二のブレード挾持板部と、を備えている。
【００２５】
ブレード型ヒューズ５０は、同一平面上に平行に配列される一対のブレードと、これらのブレードの基端部間を接続する可溶部と、該可溶部及び一対のブレードの基端部を収容支持した樹脂ハウジング５１に収容した構造で、樹脂ハウジング５１の頂部５１ａに可溶部の状況を視認する透明窓部（不図示）が配置される。また、樹脂ハウジング５１の頂部５１ａには、不図示の透明窓部に並んで、定格が表示されている。
【００２６】
第二ハウジング６０は、ブレード型ヒューズ５０が装着されるヒューズ装着孔６１を有している。また、第二ハウジング６０は、ヒューズ装着孔６１内に第一のブレード挾持板部と第二のブレード挾持板部とを支持しており、ヒューズ装着孔６１にブレード型ヒューズ５０を装着することによって、前記第一のブレード挾持板部と前記第二のブレード挾持板部とをブレード型ヒューズ５０を介して接続する。
【００２７】
以上に説明したヒューズユニット１では、第一ハウジング２０に対する第二ハウジング６０の向きが前記第一ハウジング２０と第二ハウジング６０との間に露出する連絡板部１３の折り曲げによって調節可能である。
【００２８】
図２は、矢印Ｙ２で示す方向に連絡板部１３を折り曲げて、ヒューズ装着孔６１の向きを、図１に示す当初の向きから９０゜方向転換させている。
【００２９】
なお、連絡板部１３の曲げ角度は、図２の矢印Ｙ２方向には、９０゜以内の任意角度に設定することができ、図２の矢印Ｙ２とは逆の方向にも、第二ハウジング６０が干渉しない範囲で、９０゜以内の任意角度に設定することができる。
【００３０】
以上に説明した一実施形態のヒューズユニット１の場合、バッテリ接続板部１１を車載のバッテリのバッテリ端子に固定した後、第二ハウジング６０に支持されている第二の端子金具４０のハーネス接続部にワイヤハーネス３０を接続することで、ワイヤハーネス３０を、ブレード型ヒューズ５０を介してバッテリに接続した状態を得る。
【００３１】
そして、第二の端子金具４０のハーネス接続部にワイヤハーネス３０を接続する際には、連絡板部１３を適宜に曲げることで、第二ハウジング６０に支えられているハーネス接続部の向きを、ワイヤハーネス３０を接続し易い向きに調節することができる。従って、ワイヤハーネス３０の配索性を向上させることができる。
【００３２】
なお、第二の端子金具４０のハーネス接続部にワイヤハーネス３０を接続する際には、ワイヤハーネス３０の接続後に、連絡板部１３の曲げ状態を調整できるようにワイヤハーネス３０に余長を付与しておくとよい。
【００３３】
また、バッテリに固定された当該ヒューズユニット１上のブレード型ヒューズ５０において、可溶部が視認し難い場合には、ワイヤハーネス３０の余長を利用して、連絡板部１３の曲げ状態を調整することで、可溶部が視認し易い角度に、第二ハウジング６０に装備されているヒューズ装着孔６１の向きを変えることができる。従って、ブレード型ヒューズ５０に対する視認性を向上させることもできる。
【００３４】
即ち、上記実施形態の構成によれば、ブレード型ヒューズ５０に対する視認性の向上と、ワイヤハーネス３０の配索性の向上とを両立させることができる。
【００３５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３６】
例えば、バッテリに接続されるワイヤハーネスが複数系統存在する場合には、第一の端子金具には、複数の連絡板部１３を並設し、各連絡板部１３毎に、第二ハウジング６０を装備するようにしても良い。
【００３７】
ここで、上述した本発明に係るヒューズユニットの実施形態の特徴をそれぞれ以下［１］に簡潔に纏めて列記する。
【００３８】
［１］  金属板により一体形成され、バッテリ端子に接続されるバッテリ接続板部（１１）と、ブレード型ヒューズ（５０）の一方のブレードが嵌合する第一のブレード挾持板部と、前記バッテリ接続板部（１１）と前記第一のブレード挾持板部との間を連絡すると共に板厚方向に折り曲げ可能な連絡板部（１３）と、を備えた第一の端子金具（１０）と、
前記第一の端子金具（１０）における前記連絡板部（１３）と前記第一のブレード挾持板部とは外部に露出するように前記バッテリ接続板部（１１）を収容支持した樹脂製の第一ハウジング（２０）と、
金属板により一体形成され、ワイヤハーネス（３０）が接続されるハーネス接続部と、該ハーネス接続部に連続し前記ブレード型ヒューズ（５０）の他方のブレードが嵌合する第二のブレード挾持板部と、を備えた第二の端子金具（４０）と、
前記ブレード型ヒューズ（５０）が装着されるヒューズ装着孔（６１）を有すると共に、該ヒューズ装着孔（６１）内に前記第一のブレード挾持板部と前記第二のブレード挾持板部とを支持し、前記第一のブレード挾持板部と前記第二のブレード挾持板部とを前記ブレード型ヒューズ（５０）を介して接続させる樹脂製の第二ハウジング（６０）と、
を備え、
前記第一ハウジング（２０）に対する前記第二ハウジング（６０）の向きが前記第一ハウジング（２０）と前記第二ハウジング（６０）との間に露出する前記連絡板部（１３）の折り曲げによって調節可能なことを特徴とするヒューズユニット（１）。
【符号の説明】
【００３９】
１  ヒューズユニット
１０  第一の端子金具
１１  バッテリ接続板部
１３  連絡板部
２０  第一ハウジング
３０  ワイヤハーネス
４０  第二の端子金具
５０  ブレード型ヒューズ
６０  第二ハウジング
６１  ヒューズ装着孔
【図１】
2014137894.tif 000003
【図２】
2014137894.tif 000004